(57)【要約】【課題】従来、人間による監視チェックのみに頼っており、機械による誤った燃料の給油や充填を阻止する手段がなかった。【解決手段】無線ＩＣタグ１から通信機２へ識別番号、許可燃料、禁止燃料のデータを送り、当該データを通信機２から判別装置８へ転送し、判別装置８において当該データと給油および充填ノズル４から供給される燃料種別から燃料供給の許可および禁止を判定し、制御装置８へ当該判定の結果を送り、制御装置８は当該結果を受けてポンプ１０、スピーカー１１、表示装置１２を制御し、誤った燃料の供給を阻止する。【選択図】図５
2010254346.tif 000002
【特許請求の範囲】
【請求項１】
給油および充填口近辺に識別番号と許可燃料と禁止燃料のデータを記録した無線ＩＣタグを配置し、無線ＩＣタグに記録された当該データを給油および充填ノズルに内蔵した通信機で読み取り、判別装置において当該データと給油および充填ノズルから給油および充填される燃料種別から燃料供給の許可および禁止を判定し、制御装置において前記判定の結果に基づきポンプの駆動や停止およびスピーカーからの警告音や警告音声の発生および表示装置への表示を行うことを特徴とする燃料誤給油および充填防止システム。
【請求項２】
無線ＩＣタグをステッカーとして加工し、金属皮膜蒸着などの技術により当該ステッカー上にアンテナを形成することを特徴とする請求項１記載の燃料誤給油および充填防止システム。
【請求項３】
通信機において指向性の高いアンテナを用いることを特徴とする請求項１記載の燃料誤給油および充填防止システム。
【請求項４】
判定装置を給油および充填ノズルに内蔵することを特徴とする請求項１記載の燃料誤給油および充填防止システム。
【請求項５】
判定装置を通信機に内蔵することを特徴とする請求項１記載の燃料誤給油および充填防止システム。
【請求項６】
判定装置を制御装置に内蔵することを特徴とする請求項１記載の燃料誤給油および充填防止システム。
【請求項７】
無線ＩＣタグを給油口近辺に充填材を用いて埋め込み、容易に取り出せない形にするとともに、充填材には電磁波を遮断しない材料を使用したポリタンクおよび携行缶を用いることを特徴とする請求項１記載の燃料誤給油および充填防止システム。
【発明の詳細な説明】
【技術分野】
【０００１】
本発明は、燃料給油および充填装置と無線ＩＣタグを組み合わせた、燃料誤給油および充填防止システムに関するものである。
【背景技術】
【０００２】
セルフ式ガソリンスタンドの普及以後、利用者による誤給油に起因するエンジントラブルや火災が後を絶たない。また、日本の事例ではないが、ＬＰＧタンクにＣＮＧやＬＮＧを誤って充填し、圧力の大幅な違いによりＬＰＧタンクが爆発するという事故も発生している。
【０００３】
本来であれば、異なる燃料ごとに、例えば、ガソリンと軽油の給油口の形状を異なったものとし、給油口と給油ノズルを完全に結合できなければ、給油ノズルのグリップを握っても給油できないようなフェイルセーフシステムの装備が望ましいが、現状では、給油口は単に穴が開いているだけなので、事実上フェイルセーフシステムは存在しない。
【０００４】
また、灯油用ポリタンクにガソリンを買いだめし、家庭に持ち帰った後、火災に至るケースもある。
【０００５】
ＬＰＧタンク事故の事例は、まだ日本では発生していないが、既にＬＰＧ燃料車とＣＮＧ燃料車が混在して公道を走っている状態なので、今後発生しない可能性は否定できない。
【０００６】
現状では、人間による監視チェックのみに頼っているため、誤給油や充填防止には限界がある。
【先行技術文献】
【特許文献】
【０００７】
【特許文献１】特許公開２００６−２２４９６８
【発明の概要】
【発明が解決しようとする課題】
【０００８】
解決しようとする問題点は、燃料の給油および充填において、機械によるチェックが存在しないため、人間によるチェックをすり抜けて誤給油や充填が発生する点である。
【課題を解決するための手段】
【０００９】
本発明は、燃料給油および充填口付近に、燃料種別を記録した無線ＩＣタグを設け、給油および充填ノズルには当該ＩＣタグとの通信手段を設け、双方の通信結果に基づき、給油および充填の可否を決定し実行することを最も主要な特徴とする。
【発明の効果】
【００１０】
本発明のシステムでは、給油および充填口付近の無線ＩＣタグと、給油および充填ノズルに内蔵された通信機により、通信を行うことで燃料種別を確認し、給油および充填機の動作の可否を決定し実行するため、誤給油や充填を防止できるという利点がある。
【図面の簡単な説明】
【００１１】
【図１】給油および充填口、無線ＩＣタグ、給油および充填ノズル、通信機の位置関係を示した図。
【図２】無線ＩＣタグの構造を示した図。
【図３】通信機の構造を示した図。
【図４】無線ＩＣタグから通信機へ送られるデータの例を示した図。
【図５】本発明の燃料誤給油および充填防止システムの全体像を示した図。
【図６】図５において判別装置を給油および充填ノズル内に配置した例を示した図。
【図７】図５において判別装置を通信機内に配置した例を示した図。
【図８】図５において判別装置を給油および充填機内に配置した例を示した図。
【図９】図５において判別装置を制御装置内に配置した例を示した図。
【図１０】ポリタンクおよび携行缶において給油口、無線ＩＣタグ、充填材の位置関係を示した図。
【発明を実施するための形態】
【００１２】
誤給油や充填を防止するという目的を、無線ＩＣタグを用いたシステムを導入することにより、給油および充填口、対応するノズルの形状を変更することなく実現した。
【実施例１】
【００１３】
無線ＩＣタグ１を、燃料給油および充填口３近くに貼り付ける。給油および充填ノズル４には、無線ＩＣタグ１と通信を行う通信機２を内蔵する。
【００１４】
無線ＩＣタグ１はステッカーとして加工してある。給油および充填ノズル４との距離が数十センチメートル離れていることから、当該無線ＩＣタグ１の受信感度を高めるため、当該ステッカー上に金属皮膜蒸着などの技術によりアンテナ５を形成し、ＩＣ６に接続する。また、当該ステッカー上には、燃料種別を色付きで明記する。
【００１５】
給油および充填ノズル４に内蔵された、無線ＩＣタグ１と通信を行う通信機２には、指向性の高いアンテナ７を設け、混信を回避する。
【００１６】
無線ＩＣタグ１には、混信回避のための識別番号と、許可燃料、禁止燃料を記録しておく。許可燃料と禁止燃料の情報は、互いに矛盾が生じないよう記録する。例えば、ある燃料が、許可燃料であり禁止燃料でもあることはないし、許可燃料でも禁止燃料でもないということはない。図４に無線ＩＣタグ１から通信機２へ送られるデータの例を示す。無線ＩＣタグ１および通信機２における混信回避の手法の詳細は、本発明の内容ではないので省略する。
【００１７】
無線ＩＣタグ１から通信機２へ送られたデータを受けて、通信機２から燃料種別を判定する判別装置８へ当該データを転送する。判別装置８において、許可燃料、禁止燃料、給油および充填ノズル４から給油および充填される燃料種別が適切だと判断されれば、判別装置８から制御装置９へポンプ駆動許可信号を送り、制御装置９がポンプ１０を駆動して燃料供給を開始する。
【００１８】
判別装置８において許可燃料、禁止燃料、給油および充填ノズル４から給油および充填される燃料種別が不適切だと判断されれば、判別装置８から制御装置９へポンプ駆動禁止信号を送り、制御装置９がポンプ１０を停止し、スピーカー１１から警告音や警告音声を発するとともに、表示装置１２に警告を意味する文字や絵を表示する。
【００１９】
判別装置８は、給油および充填ノズル４、通信機２、給油および充填機１３、制御装置９のいずれかに内蔵される。
【実施例２】
【００２０】
無線ＩＣタグ１をポリタンクおよび携行缶１４の給油口１５近辺に充填材１６を用いて埋め込み、容易に取り出せない形にすることで、ポリタンクおよび携行缶１４への誤給油を防止し、安全性を高めることができる。充填材１６は、無線ＩＣタグ１や通信機２が送受信する電磁波を遮断しない材料を用いる。
【産業上の利用可能性】
【００２１】
燃料種別の確認を、人間による目視確認だけではなく、機械によっても行うため、誤った燃料の給油および充填による事故の可能性を減らすことができる。
【符号の説明】
【００２２】
１    無線ＩＣタグ
２    通信機
３    給油および充填口
４    給油および充填ノズル
５    アンテナ
６    ＩＣ
７    アンテナ
８    判別装置
９    制御装置
１０  ポンプ
１１  スピーカー
１２  表示装置
１３  給油および充填機
１４  ポリタンクおよび携行缶
１５  給油口
１６  充填材
【図１】
2010254346.tif 000003
【図２】
2010254346.tif 000004
【図３】
2010254346.tif 000005
【図４】
2010254346.tif 000006
【図５】
2010254346.tif 000007
【図６】
2010254346.tif 000008
【図７】
2010254346.tif 000009
【図８】
2010254346.tif 000010
【図９】
2010254346.tif 000011
【図１０】
2010254346.tif 000012